【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
情報伝送方法であって、
端末装置が第１のサービスと第１のアドレスとのマッピング関係を含む第１のマッピング関係情報、および前記第１のサービスと少なくとも１つの第１のキャリアとのマッピング関係を含む第２のマッピング関係情報を取得するステップと、
前記端末装置が前記第１のサービスに対応する第１のインデックスを決定するステップと、
前記端末装置が前記第１のマッピング関係情報、前記第２のマッピング関係情報および前記第１のインデックスに基づいて、前記第１のインデックスと前記少なくとも１つの第１のキャリアとのマッピング関係を含む第３のマッピング関係情報を決定するステップと、
前記端末装置がネットワーク装置に前記第３のマッピング関係情報を送信するステップと、を含むことを特徴とする情報伝送方法。
【請求項２】
前記端末装置が前記第１のサービスの第１のデータ量を取得するステップと、
前記端末装置が前記第１のマッピング関係情報、前記第２のマッピング関係情報および前記第１のインデックスに基づいて、前記第１のインデックスと前記第１のデータ量とのマッピング関係を含む第４のマッピング関係情報を決定するステップと、
前記端末装置が前記ネットワーク装置に前記第４のマッピング関係情報を送信するステップと、をさらに含み、
前記第１のアドレスと前記第１のインデックスとは異なることを特徴とする請求項１に記載の方法。
【請求項３】
前記第１のマッピング関係情報は、第２のサービスと第２のアドレスとのマッピング関係をさらに含み、前記第２のマッピング関係情報は、前記第２のサービスと少なくとも１つの第２のキャリアとのマッピング関係をさらに含み、
前記方法は、
前記端末装置が前記第２のサービスに対応する、前記第１のインデックスと異なる第２のインデックスを決定するステップと、
前記端末装置が前記第１のマッピング関係情報、前記第２のマッピング関係情報および前記第２のインデックスに基づいて、前記第２のインデックスと前記少なくとも１つの第２のキャリアとのマッピング関係をさらに含む前記第３のマッピング関係情報を決定するステップと、をさらに含み、
前記第１のアドレス、前記第２のアドレス及び前記第２のインデックスが以下の少なくとも１つの形態で設定され、
前記第１のアドレスと前記第２のアドレスとは同じまたは異なり、
前記第２のアドレスと前記第２のインデックスとは同じまたは異なることを特徴とする請求項１または２に記載の方法。
【請求項４】
前記端末装置が前記第１のサービスに対応する第１のインデックスを決定するステップは、
前記端末装置が前記第１のアドレスを含むアドレスリストを生成するステップと、
前記端末装置が前記第１のアドレスの前記アドレスリストにおける順序を前記第１のインデックスとして決定するステップと、を含み、
前記アドレスリストは前記第２のアドレスをさらに含み、前記第２のアドレスの前記アドレスリストにおける順序は前記第２のサービスに対応する前記第２のインデックスであり、
前記方法は、前記端末装置が前記ネットワーク装置に前記アドレスリストを送信するステップをさらに含むことを特徴とする請求項３に記載の方法。
【請求項５】
前記端末装置が前記第１のサービスに対応する第１のインデックスを決定するステップは、
前記端末装置が前記第１のアドレスに対応するインデックスを前記第１のインデックスとして決定するステップを含み、
前記方法は、前記端末装置が前記第１のアドレスと前記第１のインデックスとのマッピング関係を含む第５のマッピング関係情報を生成するステップと、
前記端末装置が前記ネットワーク装置に前記第５のマッピング関係情報を送信するステップと、をさらに含むことを特徴とする請求項１〜４のいずれか一項に記載の方法。
【請求項６】
端末装置であって、
第１のサービスと第１のアドレスとのマッピング関係を含む第１のマッピング関係情報、および前記第１のサービスと少なくとも１つの第１のキャリアとのマッピング関係を含む第２のマッピング関係情報を取得し、
前記第１のサービスに対応する第１のインデックスを決定し、
前記第１のマッピング関係情報、前記第２のマッピング関係情報および前記第１のインデックスに基づいて、前記第１のインデックスと前記少なくとも１つの第１のキャリアとのマッピング関係を含む第３のマッピング関係情報を決定するために用いられる処理ユニットと、
ネットワーク装置に前記第３のマッピング関係情報を送信するために用いられる送受信ユニットと、を含むことを特徴とする端末装置。
【請求項７】
前記処理ユニットは、さらに、
前記第１のサービスの第１のデータ量を取得し、
前記第１のマッピング関係情報、前記第２のマッピング関係情報および前記第１のインデックスに基づいて、前記第１のインデックスと前記第１のデータ量とのマッピング関係を含む第４のマッピング関係情報を決定するために用いられ、
前記送受信ユニットは、さらに、
前記ネットワーク装置に前記第４のマッピング関係情報を送信するために用いられ、
前記第１のアドレスと前記第１のインデックスとは異なることを特徴とする請求項６に記載の端末装置。
【請求項８】
前記第１のマッピング関係情報は、第２のサービスと第２のアドレスとのマッピング関係をさらに含み、前記第２のマッピング関係情報は、前記第２のサービスと少なくとも１つの第２のキャリアとのマッピング関係をさらに含み、
前記処理ユニットは、さらに、
前記第２のサービスに対応する、前記第１のインデックスと異なる第２のインデックスを決定し、
前記第１のマッピング関係情報、前記第２のマッピング関係情報および前記第２のインデックスに基づいて、前記第２のインデックスと前記少なくとも１つの第２のキャリアとのマッピング関係をさらに含む前記第３のマッピング関係情報を決定するために用いられ、
前記第１のアドレス、前記第２のアドレス及び前記第２のインデックスが以下の少なくとも１つの形態で設定され、
前記第１のアドレスと前記第２のアドレスとは同じまたは異なり、
前記第２のアドレスと前記第２のインデックスとは同じまたは異なることを特徴とする請求項６または７に記載の端末装置。
【請求項９】
前記処理ユニットは、具体的には、
前記第１のアドレスを含むアドレスリストを生成し、
第１のアドレスの前記アドレスリストにおける順序を前記第１のインデックスとして決定するために用いられ、
前記アドレスリストは前記第２のアドレスを含み、前記第２のアドレスの前記アドレスリストにおける順序は前記第２のサービスに対応する前記第２のインデックスであり、
前記送受信ユニットは、さらに、
前記ネットワーク装置に前記アドレスリストを送信するために用いられることを特徴とする請求項８に記載の端末装置。
【請求項１０】
前記処理ユニットは、具体的には、
前記第１のアドレスに対応するインデックスを前記第１のインデックスとして決定するために用いられ、
前記処理ユニットは、さらに、前記第１のアドレスと前記第１のインデックスとのマッピング関係を含む第５のマッピング関係情報を生成するために用いられ、前記送受信ユニットは、さらに前記ネットワーク装置に前記第５のマッピング関係情報を送信するために用いられることを特徴とする請求項６〜９のいずれか一項に記載の端末装置。
【請求項１１】
ネットワーク装置であって、
第１のインデックスを決定するために用いられる処理ユニットと、
端末装置から送信された、前記第１のインデックスと少なくとも１つの第１のキャリアとのマッピング関係を含む第３のマッピング関係情報を受信するために用いられる送受信ユニットと、を含み、
前記処理ユニットは、さらに、
前記第３のマッピング関係情報および前記第１のインデックスに基づいて、前記第１のインデックスに対応する前記少なくとも１つの第１のキャリアを決定し、
前記少なくとも１つの第１のキャリアに基づいて、端末装置にリソースを割り当てるために用いられることを特徴とするネットワーク装置。
【請求項１２】
前記処理ユニットは、具体的には、
前記第１のインデックスと第１のデータ量とのマッピング関係を含む第４のマッピング関係情報を取得し、
前記少なくとも１つの第１のキャリアおよび前記第１のデータ量に基づいて、前記端末装置にリソースを割り当てるために用いられ、
前記第１のアドレスと前記第１のインデックスとは異なることを特徴とする請求項１１に記載のネットワーク装置。
【請求項１３】
前記第３のマッピング関係情報は第２のインデックスと少なくとも１つの第２のキャリアとのマッピング関係をさらに含み、前記第１のインデックスと前記第２のインデックスとは異なることを特徴とする請求項１１または１２に記載のネットワーク装置。
【請求項１４】
前記処理ユニットは、具体的には、
前記端末装置から送信されたアドレスリストを受信し、
第１のアドレスの前記アドレスリストにおける順序を前記第１のインデックスとして決定するために用いられ、
前記アドレスリストは第２のアドレスをさらに含み、前記第２のアドレスの前記アドレスリストにおける順序は前記第２のアドレスに対応する第２のインデックスであることを特徴とする請求項１１〜１３のいずれか一項に記載のネットワーク装置。
【請求項１５】
前記送受信ユニットは、さらに、
前記端末装置から送信された前記第１のインデックスを受信するために用いられ、
前記第１のインデックスは前記端末装置のアクセス層で決定された第３のアドレスであり、
前記送受信ユニットは、さらに、
前記端末装置から送信された、前記第１のアドレスと前記第１のインデックスとのマッピング関係を含む第５のマッピング関係情報を受信することにより、前記ネットワーク装置が前記第５のマッピング関係情報および前記第１のインデックスに基づいて前記第１のアドレスを決定するために用いられることを特徴とする請求項１１〜１３のいずれか一項に記載のネットワーク装置。